(57)【要約】【課題】  犯罪者から現金取引、及び暗証番号の盗視を防護すること。【解決手段】  コーナ監視カメラ２は、ＡＴＭ装置１００が配設されているコーナに敷設され、ＡＴＭ装置１００の周辺に存在する人物の動きを継続して撮影し、撮影画像データベース３は、コーナ監視カメラ２が撮影した画像を監視サーバ装置４を介してフレーム画像として格納し、監視サーバ装置４は、撮影画像データベース３に格納されているフレーム画像を解析してＡＴＭ装置１００の周辺にいる不審者を検出し、取引者に注意・警告する。【選択図】        図１
2006331049.tif 000002
【特許請求の範囲】
【請求項１】
現金自動取引装置をコーナ監視カメラで監視する防犯監視システムであって、
前記コーナ監視カメラによる撮影画像を経時的に解析する画像解析部と、
該画像解析部による解析結果を監視して不審者を検出する不審者検出部と、
該不審者検出部が前記不審者を検出すると前記現金自動取引装置に対して警告通知信号を送信する警告通知部とを備える監視サーバ装置と、
該監視サーバ装置から前記警告通知信号を受信すると、所定のメッセージを取引表示画面に表示するメッセージ挿入部を備える現金自動取引装置とを含むことを特徴とする防犯監視システム。
【請求項２】
前記メッセージ挿入部は、
前記警告通知信号を受け入れると、そのときの処理段階に応じて前記メッセージの内容を変更することを特徴とする請求項１に記載の防犯監視システム。
【請求項３】
前記メッセージ挿入部は、
前記警告通知信号を受け入れると、そのとき実行中の処理を一旦停止し、継続要求を受け入れると前記実行中の処理を再開継続することを特徴とする請求項１又は請求項２に記載の防犯監視システム。
【請求項４】
前記現金自動取引装置は、
警告音を発生する警告音発生部を更に備え、
該警告音発生部は、前記警告通知信号を受け入れると、所定の警告音を発生し、前記継続要求を受け入れると、該警告音の発生を停止することを特徴とする請求項３に記載の防犯監視システム。
【請求項５】
前記画像解析部は、基準となるフレーム画像と、所定時間経過後のフレーム画像とを経時的に解析して移動人物を検出し、
前記不審者検出部は、前記移動人物が、既に利用中のＡＴＭに向かっている場合に不審者として検出することを特徴とする請求項１に記載の防犯監視ステム。
【発明の詳細な説明】
【技術分野】
【０００１】
本発明は、防犯監視システムに関し、特に現金自動預払機（ＡＴＭ）周辺を監視する防犯監視システムに関するものである。
【背景技術】
【０００２】
現金自動預払機（ＡＴＭ）の取引中に個人情報が盗視され、現金口座から現金が不正に引き出されたり、或いは又、取引中に現金を搾取される等の被害が現に発生している。これらの被害を防止するためにＡＴＭ取引コーナには、通常、後方に他人がいないかどうかを確認するためのバックミラーが取り付けられている。また側面から手元を覗き見されないように、衝立などの壁が配設されている。
【０００３】
しかし、通常取引者は、ＡＴＭ操作中は画面、ボタン操作などに注意力が集中し、後方の気配に不注意となりがちである。又、支払取引を行った取引者は大金を持っているにもかかわらず気が弛みがちである。このような不備を払拭するために、ＡＴＭ取引コーナ周辺（店舗外を含む）に監視カメラを配設し、その映像をＡＴＭの操作画面のコーナに表示して取引者の注意力を喚起する技術も公開されている（特許文献１参照）。
【０００４】
この技術によると、ＡＴＭ操作中に、操作画面のコーナ（操作画面と同一面上）に監視カメラの映像が表示されているので、取引者はＡＴＭ操作しながら周辺状況を把握出来ることになる。取引者の注意力を喚起するためには、操作画面と同一面上に監視カメラの映像を表示することは、非常に有効に作用する。しかし、カメラの映像をそのまま表示していたので、映像部分が大きく成りすぎていた。また、カメラの映像部分に表示される人物が不審者であるか否かについての判断は、取引者が行っていたので、ときには見落とす場合もあった。
【特許文献１】特開２００２−６３６２９号公報
【非特許文献１】沖テクニカルレビュー２００３年７月／第１９５号Ｖｏ、７０Ｎｏ、３「動画像処理技術による映像監視の高度化」
【発明の開示】
【発明が解決しようとする課題】
【０００５】
解決しようとする問題点は、上記従来技術に於いてはＡＴＭの操作画面にカメラの映像がそのまま表示されていた点と、カメラの映像部分に表示される人物が不審者であるか否かについての判断を、取引者が行っていた点である。
【課題を解決するための手段】
【０００６】
現金自動取引装置をコーナ監視カメラで監視する防犯監視システムであって、上記コーナ監視カメラによる撮影画像を経時的に解析する画像解析部と、該画像解析部による解析結果を監視して不審者を検出する不審者検出部と、該不審者検出部が前記不審者を検出すると上記現金自動取引装置に対して警告通知信号を送信する警告通知部とを備える監視サーバ装置と、該監視サーバ装置から上記警告通知信号を受信すると、所定のメッセージを取引表示画面に表示するメッセージ挿入部を備える現金自動取引装置とを含むことを主要な特徴とする。
【発明の効果】
【０００７】
現金自動取引装置をコーナ監視カメラで撮影した画像を監視サーバ装置が監視し、その監視結果から不審者を検出すると、取引者に対して所定のメッセージを送るので、取引者は、暗証番号入力操作を一時停止して周囲の確認を促することが出来ることや、現金受取時に搾取されないように迅速に取り出して確保し、身構えながら周囲を確認出来るようになるので、犯罪者から取引を防護することが出来るという効果を得る。
【発明を実施するための最良の形態】
【０００８】
ＡＴＭ装置は、監視サーバ装置から、警告通知信号を受け入れると、取引画面上に所定のメッセージを表示するのみならず、進行中の動作を一旦停止させ、警告音を発生させることとし、不審者を威嚇することとした。
【実施例１】
【０００９】
図１は、本発明による防犯監視システムのシステム構成図である。
図に示すように本発明による防犯監視システムは、ＡＴＭ装置（実施例１では１００、実施例２では２００、実施例３では３００）と、コーナ監視カメラ２と、撮影画像データベース３と、監視サーバ装置４と、ＬＡＮ５とを含む。
【００１０】
ＡＴＭ装置１００は、現金自動預払機である。コーナ監視カメラ２は、ＡＴＭ装置１００が配設されているコーナに敷設され、ＡＴＭ装置１００の周辺に存在する人物の動きを継続して撮影する動画像撮影カメラである。撮影画像データベース３は、コーナ監視カメラ２が撮影した画像を監視サーバ装置４を介してフレーム画像として格納するデータベースである。監視サーバ装置４は、撮影画像データベース３に格納されているフレーム画像を解析してＡＴＭ装置１００の周辺にいる不審者を検出し、取引者に注意・警告する部分である。ＬＡＮ５は、全ての構成部分を通信接続するローカルエリアネットワークである。
次に、ＡＴＭ装置１００の内容について詳細に説明し、続いて監視サーバ装置４の内容について詳細に説明する。
【００１１】
図２は、実施例１による現金自動預払機（ＡＴＭ）の機能ブロック図である。
図に示すように実施例１のＡＴＭ装置１００は、ＩＦ部１１と、取引部１２と、認証部１３と、操作表示部１４と、カードＲ／Ｗ部１５と、メッセージ挿入部１６と、ＣＰＵ１７と、記憶部（ＲＯＭ・ＲＡＭ）１８とを備える。
【００１２】
ＩＦ部１１は、ＡＴＭ装置１００とＬＡＮ５とを所定のプロトコルに基づいて通信接続する、ＡＴＭ装置１００とＬＡＮ５とのインタフェース部分である。
取引部１２は、操作表示部１４から取引者によって入力された取引内容、金額等に応じて、ＩＦ部１１を介してＬＡＮ５に接続されているホストコンピュータ（図示しない）と接続して実際の取引処理を行う部分である。
【００１３】
認証部１３は、取引者の個人認証及び口座番号の認証を行う部分である。通常取引では、取引者に対してカードＲ／Ｗ部１５へカードを挿入させる。引き続き、操作表示部１４を介して暗証番号のキー入力を受け入れる。又、カードＲ／Ｗ部１５を介して、カードに記録された磁気情報（店番、科目、口座番号等）をカードから読み出し、更に、ＩＦ部１１を介してＬＡＮ５に接続されているホストコンピュータ（図示しない）と接続して、カードから読み出した情報と暗証番号とを送信し、ホストでは、所定のデータベース（図示しない）に口座番号単位に記録された暗証番号を読み出して、両者を照合する。
【００１４】
操作表示部１４は、取引者と取引処理の対話型ガイド機能を実行する部分である。具体的には、現金預入／引出／振込／決済、等の各取引内容の選択肢を画面に表示し、その画面を介して取引者に選択させ、取引者が選択した取引内容に応じた入出金手順に基づいて取引処理を実行させる部分である。
カードＲ／Ｗ部１５は、取引者が挿入したカードからカードに印刷された磁気情報（店番、科目、口座番号等）を読み出す部分である。
【００１５】
メッセージ挿入部１６は、ＩＦ部１１を介して監視サーバ装置４（図１）から受け入れた、警告通知信号に基づいて操作表示部１４の画面に所定のメッセージを挿入する部分である。このメッセージの内容は、取引段階に応じて変更することが出来る。ここでメッセージの例について説明する。
【００１６】
図３は、実施例１によるメッセージ例の説明図である。
（ａ）は、暗証番号入力操作時におけるメッセージの例であり、（ｂ）は、現金受取時におけるメッセージの例である。
【００１７】
（ａ）では、取引処理の初期段階（暗証番号入力時）に、監視サーバ装置４（図１）から受け入れた警告通知信号に基づいて『暗証番号を盗み見される可能性がありますから、周囲を注意してください』というメッセージが操作表示部１４の画面に表示される。
【００１８】
（ｂ）では、取引処理の終期段階（現金受取時）に、監視サーバ装置４（図１）から受け入れた警告通知信号に基づいて『現金を搾取される可能性がありますから、周囲を注意してください』というメッセージが操作表示部１４の画面に表示される。
【００１９】
図２に戻って、
ＣＰＵ１７は、ＡＴＭ装置１００全体を制御するマイクロプロセッサであり、特に、取引部１２、認証部１３、操作表示部１４、及びメッセージ挿入部１６は、ＣＰＵ１７が記憶部（ＲＯＭ・ＲＡＭ）１８に格納されている所定のプログラムを実行することによって起動される。
また、ＡＴＭ装置１００が利用開始または終了された際、ＩＦ部１１を介して、監視サーバ４に対して利用開始または終了した旨の信号を、号機番号とともに通知する機能も備える。
【００２０】
記憶部（ＲＯＭ・ＲＡＭ）１８は、ＣＰＵ１７が実行する制御プログラムを予め記憶するメモリである。又、ＣＰＵ１７が制御プログラムを実行する上で必要になる演算領域を提供するメモリでもある。更に、本実施例では、特に、メッセージ『暗証番号を盗み見される可能性がありますから、周囲を注意してください』、及びメッセージ『現金を搾取される可能性がありますから、周囲を注意してください』を取引段階と関連付けて予め格納するメモリでもある。
【００２１】
図４は、監視サーバ装置の機能ブロック図である。
図に示すように監視サーバ装置４は、ＩＦ部２１と、画像解析部２２と、不審者検出部２３と、警告通知部２４と、ＣＰＵ２５と、記憶部（ＲＯＭ・ＲＡＭ）２６とを備える。
【００２２】
ＩＦ部２１は、監視サーバ装置４とＬＡＮ５とを所定のプロトコルに基づいて通信接続する、監視サーバ装置４とＬＡＮ５とのインタフェース部分である。
画像解析部２２は、現金自動預払機周辺にいる不審者を検出することを目的として撮影され、撮影画像データベース３（図１）に格納されているフレーム画像を解析する部分である。以下に画像解析の概要について説明する（非特許文献１参照）。
【００２３】
図５は、画像解析部の機能説明図である。
（ａ）は、コーナ監視カメラの撮影画像（正常時）である。
（ｂ）は、コーナ監視カメラの撮影画像（異常時１）である。
（ｃ）は、コーナ監視カメラの撮影画像（異常時２）である。
（ｄ）は、コーナ監視カメラの撮影画像（蓄積画像）である。
【００２４】
（ａ）では、取引者がそれぞれＡＴＭ装置の前に立っているが、それ以外の人影は検出されない。画像解析部２２は、この状態を正常状態と特定する。（ｂ）では、差分法によって基準となる正常状態のフレーム画像から所定の時間経過後のフレーム画像を差分すると取引者以外の移動人物Ｍが検出される。
【００２５】
（ｃ）では、差分法によって（ｂ）のフレーム画像から所定の時間経過後のフレーム画像を差分すると移動人物Ｍが所定距離移動しているのが検出される。同様の処理を継続して実行することになる。（ｄ）では、上記差分法によって取得された複数の画面を経過時間順に（ａ）に重ねて表示する。この様な手法によって画像解析部２２は、撮影画像データベースに格納されているフレーム画像から差分法によって現金自動預払機周辺画像の経時変化を検出する。
【００２６】
図４に戻って、
不審者検出部２３は、画像解析部２２の解析結果から不審者を検出する部分である。具体的には画像解析部２２の解析結果である図５（ｂ）（ｃ）・・・から移動人物Ｍを検出し、図５（ｄ）から、その移動方向（図中矢印方向）が既に利用中のＡＴＭ装置へ向かっている場合には不審者による接近と判断する。
警告通知部２４は、不審者検出部２３が不審者を検出した場合には、ＩＦ部２１を介して該当するＡＴＭ装置１００（図１）へ警告通知信号を送信する部分である。
【００２７】
ＣＰＵ２５は、監視サーバ装置４全体を制御するマイクロプロセッサであり、特に、画像解析部２２、不審者検出部２３、及び警告通知部２４は、ＣＰＵ２５が記憶部（ＲＯＭ・ＲＡＭ）２６に格納されている所定のプログラムを実行することによって起動される。
また、ＡＴＭ装置１００から受信した、号機番号および利用開始または終了の旨の信号により、どのＡＴＭ装置が利用中であるかの情報を記憶部２６に格納するための機能を備える。
【００２８】
記憶部（ＲＯＭ・ＲＡＭ）２６は、ＣＰＵ２５が実行する制御プログラムを予め記憶するメモリである。又、ＣＰＵ２５が制御プログラムを実行する上で必要になる演算領域を提供するメモリでもある。
【００２９】
再度図１に戻って本実施例による防犯監視システムの動作概要についてステップＳ１−１からステップＳ１−３までに分解して説明する。
ステップＳ１−１
コーナ監視カメラ２は常時ＡＴＭ装置１００の周辺を監視撮影し、そのフレーム画像はＬＡＮ５を介して撮影画像データベース３へ送信され格納される。
【００３０】
ステップＳ１−２
監視サーバ装置４（画像解析部２２（図４））は、撮影画像データベース３からフレーム画像を受け入れ、画像解析を継続実行する。このとき監視サーバ装置４（不審者検出部２３（図４））は、画像解析部２２（図４）の解析結果を継続監視し、不審者を検出すると、警告通知信号を該当するＡＴＭ装置１００へ送信する（警告通知部２４（図４））。
【００３１】
ステップＳ１−３
ＡＴＭ装置１００（ＩＦ部１１（図２））は、ＬＡＮ５を介して警告通知信号を受信する。ＡＴＭ装置１００（メッセージ挿入部１６（図２））は、警告通知信号を受け入れると操作表示部１４（図２）に所定のメッセージを挿入して取引者に注意を喚起する。取引段階が暗証番号入力段階であれば、暗証番号入力画面（１例）にメッセージ『暗証番号を盗み見される可能性がありますから、周囲を注意してください』を表示し、取引段階が現金受取段階であれば操作表示部１４（図２）の現金受取画面（１例）にメッセージ『現金を搾取される可能性がありますから、周囲を注意してください』を表示して取引者に警告する。
【００３２】
以上説明したように、本実施例によれば、ＡＴＭコーナ監視カメラで撮影した画像を監視サーバ装置が監視し、その監視結果から不審者を検出すると、取引者に対して所定のメッセージを送るので、取引者は、暗証番号入力操作を一時停止して周囲の確認を促することが出来ることや、現金受取時に搾取されないように迅速に取り出して確保し、身構えながら周囲を確認出来るようになるので、犯罪者から取引を防護することが出来るという効果を得る。
【実施例２】
【００３３】
上記実施例１では、ＡＴＭ装置１００は、監視サーバ装置４から、警告通知信号を受け入れると、操作表示部１４へ所定のメッセージを表示するが、進行中の動作を停止させることは無かった。しかし、本実施例では、警告通知信号を受け入れると、操作表示部１４へ所定のメッセージを表示するとともに、進行中の処理を一旦停止させる。しかる後、取引者の処理継続の意志表示に基づいて処理を再開させるものとする。
【００３４】
以下に実施例１との相違部分のみについて説明する。実施例１と同様の部分には実施例１と同一の符合を付して説明を省略する。
図６は、実施例２による現金自動預払機（ＡＴＭ）の機能ブロック図である。
図に示すように実施例２のＡＴＭ装置２００は、ＩＦ部１１と、取引部１２と、認証部１３と、操作表示部１４と、カードＲ／Ｗ部１５と、メッセージ挿入部３１と、ＣＰＵ３２と、記憶部（ＲＯＭ・ＲＡＭ）３３とを備える。
【００３５】
メッセージ挿入部３１は、ＩＦ部１１を介して監視サーバ装置４（図１）から受け入れた警告通知信号に基づいて操作表示部１４の画面に所定のメッセージを挿入する部分である。又、同時に継続中の処理を一旦停止させ、しかる後、取引者の処理継続の意志表示に基づいて処理を再開させる部分である。ここでメッセージの例について説明する。
【００３６】
図７は、実施例２のメッセージ例の説明図である。
（ａ）は、暗証番号入力操作制限メッセージであり、（ｂ）は、現金受取制限メッセージである。
【００３７】
（ａ）では、取引処理の初期段階（暗証番号入力時）に、監視サーバ装置４（図１）から受け入れた警告通知信号に基づいて暗証番号入力の処理を一旦停止し『暗証番号を盗み見される可能性がありますから、周囲を注意してください』というメッセージと継続ボタンが操作表示部１４の画面に表示される。この表示に基づいて取引者が継続ボタンを押下（又は接触）することによって暗証番号の受入処理が再開される。
【００３８】
（ｂ）では、取引処理の終期段階（現金受取時）に、監視サーバ装置４（図１）から受け入れた警告通知信号に基づいて現金受取手続きの処理を一旦停止し、『現金を搾取される可能性がありますから、周囲を注意してください』というメッセージと現金受取ボタンが操作表示部１４の画面に表示される。この表示に基づいて取引者が現金受取ボタンを押下（又は接触）することによって現金受取手続きの処理が再開される。
即ち、取引者が現金受取ボタンを押下するまでは、現金受取口のシャッターを閉じたままにし、現金受取ボタンの押下によって、シャッターを開くようにする。
【００３９】
図６に戻って、
ＣＰＵ３２は、ＡＴＭ装置２００全体を制御するマイクロプロセッサであり、特に、取引部１２、認証部１３、操作表示部１４、及びメッセージ挿入部３１は、ＣＰＵ３２が記憶部（ＲＯＭ・ＲＡＭ）３３に格納されている所定のプログラムを実行することによって起動される。
【００４０】
記憶部（ＲＯＭ・ＲＡＭ）３３は、ＣＰＵ３２が実行する制御プログラムを予め記憶するメモリである。又、ＣＰＵ３２が制御プログラムを実行する上で必要になる演算領域を提供するメモリでもある。更に、本実施例では、特に、メッセージ『暗証番号を盗み見される可能性がありますから、周囲を注意してください』と現金受取ボタン、及びメッセージ『現金を搾取される可能性がありますから、周囲を注意してください』と現金受取ボタンを予め格納するメモリでもある。
【００４１】
再度図１に戻って本実施例による防犯監視システムの動作概要についてステップＳ２−１からステップＳ２−３までに分解して説明する。
ステップＳ２−１
コーナ監視カメラ２は常時ＡＴＭ装置２００の周辺を監視撮影し、そのフレーム画像はＬＡＮ５を介して撮影画像データベース３へ送信され格納される。
【００４２】
ステップＳ２−２
監視サーバ装置４（画像解析部２２（図４））は、撮影画像データベース３からフレーム画像を受け入れ、画像解析を継続実行する。このとき監視サーバ装置４（不審者検出部２３（図４））は、画像解析部２２（図４）の解析結果を継続監視し、不審者を検出すると、警告通知信号をＡＴＭ装置２００へ送信する（警告通知部２４（図４））。
【００４３】
ステップＳ２−３
ＡＴＭ装置２００（ＩＦ部１１（図６））は、ＬＡＮ５を介して警告通知信号を受信する。ＡＴＭ装置６００（メッセージ挿入部３１（図６））は、警告通知信号を受け入れると操作表示部１４（図６）に所定のメッセージを挿入して取引者に注意を喚起すると共に処理を一旦停止する。具体的には、取引段階が暗証番号入力段階であれば、暗証番号入力画面（１例）にメッセージ『暗証番号を盗み見される可能性がありますから、周囲を注意してください』を表示し、暗証番号入力処理を一旦停止する。取引者は、周辺を警戒し、処理継続に対して特に問題ないと判断したとき、或いは又、不審者を排除した後継続ボタンを押下（又は接触）して処理を継続再開する。又、取引段階が現金受取段階であれば操作表示部１４（図６）の現金受取画面（１例）にメッセージ『現金を搾取される可能性がありますから、周囲を注意してください』を表示し、現金受取処理を一旦停止する。従って、現金取り出し口のシャッターは閉鎖したままの状態を維持することになる。取引者は、周辺を警戒し、処理継続に対して特に問題ないと判断したとき、或いは又、不審者を排除した後現金受取ボタンを押下（又は接触）して処理を継続再開する。
【００４４】
以上説明したように、本実施例によれば、ＡＴＭコーナ監視カメラで撮影した画像を監視サーバ装置が監視し、その監視結果から不審者を検出すると、取引者に対して所定のメッセージを送るのみでなく、処理を一旦停止するので、取引者は、暗証番号入力操作や現金受取のための手続きを一時停止して周囲の確認をすることが出来るので、実施例１に比較して、より一層、犯罪者から取引を防護することが出来るという効果を得る。
【実施例３】
【００４５】
上記実施例２では、ＡＴＭ装置２００は、監視サーバ装置４から、警告通知信号を受け入れると、操作表示部１４へ所定のメッセージを表示するとともに進行中の動作を停止させ、しかる後、取引者の処理継続の意志表示に基づいて処理を再開させることとした。本実施例では、更に、進行中の動作を停止させている間警告音を発生させるものとする。
【００４６】
以下に実施例２との相違部分のみについて説明する。実施例２と同様の部分には実施例２と同一の符合を付して説明を省略する。
図８は、実施例３による現金自動預払機（ＡＴＭ）の機能ブロック図である。
図に示すように実施例３のＡＴＭ装置３００は、ＩＦ部１１と、取引部１２と、認証部１３と、操作表示部１４と、カードＲ／Ｗ部１５と、メッセージ挿入部３１と、警告音発生部４１と、ＣＰＵ４２と、記憶部（ＲＯＭ・ＲＡＭ）４３とを備える。
【００４７】
警告音発生部４１は、ＩＦ部１１を介して監視サーバ装置４（図１）から受け入れた警告通知信号に基づいて所定の警告音を発生し、取引者によって処理が継続されると警告音の発生を停止する部分である。
【００４８】
図９は、実施例３によるメッセージ例の説明図である。
この図は、実施例２と同様なので説明を省略する。
ＣＰＵ４２は、ＡＴＭ装置３００全体を制御するマイクロプロセッサであり、特に、取引部１２、認証部１３、操作表示部１４、メッセージ挿入部３１、及び警告音発生部４１は、ＣＰＵ４２が記憶部（ＲＯＭ・ＲＡＭ）４３に格納されている所定のプログラムを実行することによって起動される。
【００４９】
記憶部（ＲＯＭ・ＲＡＭ）４３は、ＣＰＵ４２が実行する制御プログラムを予め記憶するメモリである。又、ＣＰＵ４２が制御プログラムを実行する上で必要になる演算領域を提供するメモリでもある。又、メッセージ『暗証番号を盗み見される可能性がありますから、周囲を注意してください』と継続ボタン、及びメッセージ『現金を搾取される可能性がありますから、周囲を注意してください』と継続ボタンを予め格納するメモリでもある。更に、本実施例では特に、警告音の発生プログラムを格納する部分でもある。この警告音の内容は、取引者に注意を喚起するのみならず、不審者を威嚇する意味を込めて設定されると効果的である。
【００５０】
再度図１に戻って本実施例による防犯監視システムの動作概要についてステップＳ３−１からステップＳ３−３までに分解して説明する。
ステップＳ３−１
コーナ監視カメラ２は常時ＡＴＭ装置３００の周辺を監視撮影し、そのフレーム画像はＬＡＮ５を介して撮影画像データベース３へ送信され格納される。
【００５１】
ステップＳ３−２
監視サーバ装置４（画像解析部２２（図４））は、撮影画像データベース３からフレーム画像を受け入れ、画像解析を継続実行する。このとき監視サーバ装置４（不審者検出部２３（図４））は、画像解析部２２（図４）の解析結果を継続監視し、不審者を検出すると、警告通知信号をＡＴＭ装置３００へ送信する（警告通知部２４（図４））。
【００５２】
ステップＳ３−３
ＡＴＭ装置３００（ＩＦ部１１（図８））は、ＬＡＮ５を介して警告通知信号を受信する。ＡＴＭ装置６００（メッセージ挿入部３１（図８））は、警告通知信号を受け入れると操作表示部１４（図６）に所定のメッセージを挿入して取引者に注意を喚起すると共に処理を一旦停止する。更に、警告音発生部４１は、所定の警告音を発生する。具体的には、取引段階が暗証番号入力段階であれば、暗証番号入力画面（１例）にメッセージ『暗証番号を盗み見される可能性がありますから、周囲を注意してください』を表示し、暗証番号入力処理を一旦停止し、更に警告音を発生する。取引者は、周辺を警戒し、処理継続に対して特に問題ないと判断したとき、或いは又、不審者を排除した後継続ボタンを押下（又は接触）して処理を継続する。このとき警告音の発生は停止する。又、取引段階が現金受取段階であれば操作表示部１４（図６）の現金受取画面（１例）にメッセージ『現金を搾取される可能性がありますから、周囲を注意してください』を表示し、現金受取処理を一旦停止し、更に警告音を発生する。取引者は、周辺を警戒し、処理継続に対して特に問題ないと判断したとき、或いは又、不審者を排除した後継続ボタンを押下（又は接触）して処理を継続する。このとき警告音の発生は停止する。
【００５３】
以上説明したように、本実施例では、ＡＴＭ装置３００は、監視サーバ装置４から、警告通知信号を受け入れると、操作表示部１４へ所定のメッセージを表示するとともに進行中の動作を停止させ、更に、進行中の動作を停止させている間警告音を発生させるものとしたので、実施例２の効果に加えて不審者を威嚇する効果をも得ることが出来る。
【産業上の利用可能性】
【００５４】
以上の説明では、本発明を金融機関の店舗内に配設された現金自動取引装置の店舗内周辺を監視する防犯監視システムに適用した場合について説明したが、本発明は、この例に限定されるものでは無い。即ち、店舗外に配設された現金自動取引装置の店舗外周辺を監視する防犯監視システムに適用することも可能である。
【図面の簡単な説明】
【００５５】
【図１】本発明による防犯監視システムのシステム構成図である。
【図２】実施例１による現金自動預払機（ＡＴＭ）の機能ブロック図である。
【図３】実施例１によるメッセージ例の説明図である。
【図４】監視サーバ装置の機能ブロック図である。
【図５】画像解析部の機能説明図である。
【図６】実施例２による現金自動預払機（ＡＴＭ）の機能ブロック図である。
【図７】実施例２によるメッセージ例の説明図である。
【図８】実施例３による現金自動預払機（ＡＴＭ）の機能ブロック図である。
【図９】実施例３によるメッセージ例の説明図である。
【符号の説明】
【００５６】
２    コーナ監視カメラ
３    撮影画像データベース
４    監視サーバ装置
１００    ＡＴＭ装置
２００    ＡＴＭ装置
３００    ＡＴＭ装置
【図１】
2006331049.tif 000003
【図２】
2006331049.tif 000004
【図３】
2006331049.tif 000005
【図４】
2006331049.tif 000006
【図５】
2006331049.tif 000007
【図６】
2006331049.tif 000008
【図７】
2006331049.tif 000009
【図８】
2006331049.tif 000010
【図９】
2006331049.tif 000011